(57)【要約】【課題】騒音を低減させることができるモータ組立体および該モータ組立体を備えたポンプ装置を提供する。【解決手段】本発明に係るモータ組立体は、ポンプ１に連結されるモータ５と、モータ５の反ポンプ側端部に配置される冷却ファン８と、モータ５と冷却ファン８とを覆い、モータ５と隙間を介して配置されたカバー７と、カバー７の内面に取り付けられた吸音材２３をと備える。吸音材２３に代えて、制振材をカバー７の内面に取り付けることもできる。【選択図】図２
2009278808.tif 000002
【特許請求の範囲】
【請求項１】
ポンプに連結されるモータと、
前記モータの反ポンプ側端部に配置される冷却ファンと、
前記モータと前記冷却ファンとを覆い、前記モータと隙間を介して配置されたカバーと、
前記カバーの内面に取り付けられた吸音材または制振材とを備えたことを特徴とするモータ組立体。
【請求項２】
前記カバーは前記モータのほぼ全体を覆う形状を有していることを特徴とする請求項１に記載のモータ組立体。
【請求項３】
前記吸音材または制振材は前記モータの側面を覆う形状を有していることを特徴とする請求項１に記載のモータ組立体。
【請求項４】
請求項１乃至３のいずれか一項に記載のモータ組立体と、
前記モータ組立体に駆動されるポンプとを備えたことを特徴とするポンプ装置。
【発明の詳細な説明】
【技術分野】
【０００１】
本発明は、モータ組立体およびポンプ装置に関し、特にモータや冷却ファンから発せられる騒音を低減するための構造を有するモータ組立体に関するものである。
【背景技術】
【０００２】
ポンプを駆動する駆動源としては、モータが広く採用されている。モータはポンプを高速で回転させるため、運転中にモータから騒音が発生する。特に、最近ではポンプを高速で回転させることで、ポンプの小型化を実現しつつ吐出し量を増大することができるポンプ装置が開発されている。このようなタイプのポンプ装置では、モータが高速で回転するため、モータの騒音を低減させることが従来にも増して要請されている。さらに、運転中は、モータの回転軸に連結される冷却ファンからもかなりの騒音が発生する。
【０００３】
【特許文献１】特開２００６−２９６１０７号公報
【特許文献２】特開２００１−２５８１９６号公報
【発明の開示】
【発明が解決しようとする課題】
【０００４】
本発明は、上述した事情に鑑みてなされたもので、騒音を低減させることができるモータ組立体および該モータ組立体を備えたポンプ装置を提供することを目的とする。
【課題を解決するための手段】
【０００５】
上述した目的を達成するために、本発明の一態様は、ポンプに連結されるモータと、前記モータの反ポンプ側端部に配置される冷却ファンと、前記モータと前記冷却ファンとを覆い、前記モータと隙間を介して配置されたカバーと、前記カバーの内面に取り付けられた吸音材または制振材とを備えたことを特徴とするモータ組立体である。
【０００６】
本発明の好ましい態様は、前記カバーは前記モータのほぼ全体を覆う形状を有していることを特徴とする。
本発明の好ましい態様は、前記吸音材または制振材は前記モータの側面を覆う形状を有していることを特徴とする。
【０００７】
本発明の他の態様は、上記モータ組立体と、上記モータ組立体に駆動されるポンプとを備えたことを特徴とするポンプ装置である。
【発明の効果】
【０００８】
本発明によれば、カバーの内面に取り付けられた吸音材または制振材により、モータおよび冷却ファンから発生する騒音を低減させることができる。
【発明を実施するための最良の形態】
【０００９】
以下、本発明の実施形態について図面を参照して説明する。
図１は、本発明の実施形態に係るモータ組立体を備えたポンプ装置を示す側面図である。
ポンプ装置は、液体を移送するポンプ１と、このポンプ１を駆動する本発明の実施形態に係るモータ組立体２とを備えている。ポンプ１はモータ組立体２により駆動され、液体を吸込口１ａから吸込み、加圧し、そして吐出口１ｂから吐出する。ポンプ１の例としては多段式遠心ポンプが挙げられるが、他の型式のポンプを用いることもできる。ポンプ組立体２は、モータ（後述する）のほぼ全体を覆うカバー７を有している。
【００１０】
図２（ａ）は図１に示すモータ組立体２を示す側面図であり、図２（ｂ）はカバー７の上面図であり、図２（ｃ）は図２（ａ）に示すカバー７のＡ−Ａ線断面図である。なお、図２（ａ）においては、カバー７の断面を示している。
【００１１】
モータ組立体２は、ポンプ１に連結されるモータ５と、モータ５を冷却する冷却ファン８と、上述したカバー７とを備えている。カバー７は、モータ５の側面および冷却ファン８を覆うように配置されている。モータ５には、ロータに永久磁石を用いた同期電動機が用いられている。このタイプのモータ（Permanent  Magnet  motor）は、一般的なモータよりも効率がよく、したがって発熱が低いという特徴を持っている。しかしながら、他のタイプのモータを用いてもよいことはいうまでもない。なお、カバー７は図示しない支持部によってモータ５に固定されている。
【００１２】
冷却ファン８はモータ５の上部（反ポンプ側端部）に配置されており、この冷却ファン８は、モータ５の回転軸１０に連結されている。したがって、冷却ファン８はモータ５と一体的に回転するようになっている。カバー７は図示しない支持部材によってモータ５に連結されており、モータ５の外面とカバー７の内面との間には隙間が形成されている。カバー７の上部には、冷却ファン８用の空気取り入れ孔（気体取り入れ孔）２０が形成されている。モータ５の側面全体には冷却フィン１８が設けられている。
【００１３】
冷却ファン８を回転させると、空気（気体）が空気取り入れ孔２０からカバー７内に流入する。この空気は、カバー７とモータ５との間の隙間を流れ、冷却フィン１８の間を通り、そしてカバー７から流出する。空気の流れが冷却フィン１８と接触している間、空気と冷却フィン１８との間で熱交換が行われ、これによりモータ５が冷却される。
【００１４】
カバー７の内面には、吸音材２３が取り付けられている。図２（ａ）では、吸音材２３の断面を示している。この吸音材２３はモータ５の側面全体を囲むように配置されている。ここで、吸音材とは、音を内部に取り込んで音エネルギーを熱エネルギーに変換することで音を吸収する部材をいう。吸音材２３の例としてはスポンジやウレタンフォームなどが挙げられる。
【００１５】
カバー７はモータ５のほぼ全体を覆っており、カバー７自体が防音材として機能する。さらに、カバー７の内面に取り付けられた吸音材がモータ５および冷却ファン８のノイズを吸収するので、モータ組立体２からの騒音を大幅に低減することができる。なお、吸音材に代えて、制振材をカバー７の内面に取り付けてもよい。この場合、上述した吸音材と同様に、モータ５の側面全体を覆うように制振材を配置することが好ましい。ここで、制振材とは、固体の振動エネルギーを熱エネルギーに変換することによって固体の振動を低減させる部材をいう。制振材の例としてはゴム板やプラスチック板などが挙げられる。
【００１６】
なお、上述したポンプ装置は、ポンプの回転軸が縦方向に延びる、いわゆる縦置型ポンプ装置である。このタイプのポンプ装置は、設置面積やフットプリントが小さくなるという利点を有する。しかしながら、本発明はこれに限らず、横置き型のポンプ装置にも適用することができる。
【００１７】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲とすべきである。
【図面の簡単な説明】
【００１８】
【図１】本発明の実施形態に係るモータ組立体を備えたポンプ装置を示す側面図である。
【図２】図２（ａ）は図１に示すモータ組立体２を示す側面図であり、図２（ｂ）はカバーの上面図であり、図２（ｃ）は図２（ａ）に示すカバーのＡ−Ａ線断面図である。
【符号の説明】
【００１９】
１      ポンプ
２      モータ組立体
５      モータ
７      カバー
８      冷却ファン
１０      回転軸
１８      冷却フィン
２０      空気取り入れ孔
２３      吸音材または制振材
【図１】
2009278808.tif 000003
【図２】
2009278808.tif 000004